(57)【要約】【課題】ノートパソコンの発熱を防止する効果があると同時に、収納がしやすく、携帯に便利で、人体工学の原理に基づいた設計であるノートパソコンの収納式発熱防止マットを提供する。【解決手段】収納ユニットと放熱ユニットからなり、その収納ユニットにはカバーと収納部分ベースがあり、ノートパソコンのアクセサリを収納できるようになっている。そして、収納ユニットと放熱ユニットは、互いにはめ込む形で構成されている。この放熱ユニットは、ケースとファンユニットからなる。使用時には、ノートパソコンを放熱ユニットの上に置き、ファンユニットの動作によって、ノートパソコンの発熱を抑える効果を果たす。【選択図】  図４
0003127702.tif 000002
【実用新案登録請求の範囲】
【請求項１】
その収納ユニットにカバー及び収納部分ベースがあり、カバーは収納部分ベースと結合し、収納部分ベースの中間には、第一収納空間があって、この第一収納空間にノートパソコンのアクセサリを収納できるようになっていて、
その放熱ユニットは収納ユニットに対応して差し込むようにして結合させ、ケース及びファンユニットからなり、ケースには上部ケース、下部ケース、数個の放熱口、収納室があって、上部ケースの表面には数個の放熱口があり、上部ケースが下部ケースと組み合わさり、さらに、上部ケースと下部ケースが、共同で収納室を構成し、この収納室にはファンユニットが収納されていて、このファンユニットには少なくとも１個のファン及び電源入力端子があって、このファンが電源入力端子に接続する、ノートパソコンの収納式発熱防止マット。
【請求項２】
収納ユニットの側面に切り込みがあって、この切り込みがあることで大きいプラグを収納ユニットの外に置くようにできる、請求項１に記載のノートパソコンの収納式発熱防止マット。
【請求項３】
その電源入力端子がUSBコネクタである、請求項１に記載のノートパソコンの収納式発熱防止マット。
【請求項４】
収納ユニットのカバーの一面には、いくつかの外側の周囲に凹凸のある差し込みがあって、第一収納空間の底部の両側には、それぞれ底板があり、この底板の内側には数個の差し込みに対応する結合柱があり、この結合柱内部にはスプリングがあって、差し込みが結合柱と結合して、カバーと収納部分ベースを合体させ、さらに、底板のもう一方の面には数個の差し込み固定部分があって、二つの底板の間には、内側がくぼんだ形の第二収納空間があって、この第二収納空間内には仕切り板が固定されていて、この仕切り板には数個のくぼみ槽がある、請求項１に記載のノートパソコンの収納式発熱防止マット。
【請求項５】
上部ケースと前述の差し込み固定部分が対応する位置に、数個の差し込み槽があって、差し込み固定部分が放熱ユニットの差し込み槽に対応して差し込まれる、請求項４に記載のノートパソコンの収納式発熱防止マット。
【考案の詳細な説明】
【技術分野】
【０００１】
本考案はノートパソコンの収納式発熱防止マットに関する。本考案のノートパソコンの収納式発熱防止マットは、収納ユニットにパソコンアクセサリを収納し、放熱ユニットがノートパソコンの放熱を行うことにより、収納と携帯を便利にし、さらに、人体工学に基づいた設計がなされているという特長を持つ。
【背景技術】
【０００２】
一般に、ノートパソコンは電源を入れて使い始めは、その本体の温度が約３１度である。使用後１時間経つと、本体の温度が４０度に達する。さらに、ノートパソコンを操作し続けると、本体内部の温度は７０度を超える。このため、強力な放熱効果を得るために、ノートパソコンの下に発熱防止マットを敷き、放熱を行う。
上述の発熱防止マットは、ほとんどが一定の厚みを持った平面の本体をしている。その内部には放熱のためのファンがあり、使用時には、ノートパソコンをこの本体の上に置いて（図１を参照いただきたい）、放熱ファンによって本体内の空気と外の空気を交流させて、本体内の温度を下げるようになっている。
【考案の開示】
【考案が解決しようとする課題】
【０００３】
しかしながら、上述の発熱防止マットを実際に使用する時、以下のような欠点が認められる。
（１）上述の発熱防止マットは、一定の厚みがあるにもかかわらず、他のパソコンアクセサリを収納することができないため、携帯に不便である。
（２）上述の発熱防止マットは、一定の厚みがあり、ノートパソコンを置いて放熱する時、ノートパソコンをデスクに置いた時の高度が高くなる（図１を参照いただきたい）。このため、操作時の手の位置が高くなり、長時間操作し続けると、腕が疲れ、体の疲労も招く。
【課題を解決するための手段】
【０００４】
本考案のノートパソコンの収納式発熱防止マットは、収納ユニットと放熱ユニットからなり、その収納ユニットには、カバーと収納部分ベースがあり、ノートパソコンのアクセサリを収納できるようになっている。そして、収納ユニットと放熱ユニットは、互いにはめ込む形で構成されている。この放熱ユニットは、ケースとファンユニットからなる。使用時には、ノートパソコンを放熱ユニットの上に置き、ファンユニットの動作によって、ノートパソコンの発熱を抑える効果を果たす。したがって、本考案のノートパソコンの収納式発熱防止マットは、ノートパソコンの発熱を防止する効果があると同時に、収納がしやすく、携帯に便利で、人体工学の原理に基づいた設計であるという特長を持つ。
【考案の効果】
【０００５】
本考案の収納式発熱防止マットは、その収納ユニットが、第一収納空間と第二収納空間からなり、マウス、電池、コード、アダプタ、USBメモリ等のパソコンアクセサリを収納することができる。
さらに、本考案の発熱防止マットは、放熱ユニットが傾斜角度を持ち、ノートパソコンを置いた時に、その傾斜角度があることにより、ノートパソコンが傾斜するため、操作時の手の位置が楽になり、人体工学の原理に基づいた設計になっている。
【考案を実施するための最良の形態】
【０００６】
図２から図７を参照いただきたい。本考案のノートパソコンの収納式発熱防止マットは、収納ユニット１及び放熱ユニット２からなる。
【０００７】
この収納ユニット１には、カバー１１及び収納部分ベース１２があり、そのうち、カバー１１の一面には、いくつかの外側の周囲に凹凸のある差し込み１１１がある。収納部分ベース１２の中間には、第一収納空間１２１があって、この第一収納空間１２１の底部の両側には、それぞれ傾斜した底板１２２がある。この底板１２２の内側には、数個の差し込み１１１に対応する結合柱１２３がある。この結合柱１２３内部には、スプリング１２４（図７を参照いただきたい）があって、さらに、底板１２２のもう一つの面には、数個の差し込み固定部分１２５がある。また、二つの底板１２２の間には内側がくぼんだ第二収納空間１２６がある。この第二収納空間１２６の内部には、二つの仕切り板１２７があって、この仕切り板１２７にはくぼみ槽１２８がある。
【０００８】
放熱ユニット２は、ケース２１及びファンユニット２２からなる。そのうち、ケース２１には上部ケース２１１、下部ケース２１２、放熱口２１３、差し込み槽２１４、収納室２１５がある。この上部ケース２１１の表面には、数個の放熱口２１３があり、上部ケース２１１と前述の差し込み固定部分１２５が対応する位置に、数個の差し込み槽２１４がある。また、上部ケース２１１は、下部ケース２１２と組み合わさるようになっている。さらに、上部ケース２１１と下部ケース２１２は、共同で収納室２１５を構成する。この収納室２１５は、ファンユニット２２が収納されている。このファンユニット２２には少なくとも１個のファン２２１及び電源入力端子２２２がある。このファン２２１は、電源入力端子２２２に接続する。この電源入力端子２２２はUSBコネクタで、ノートパソコンのUSBソケット（図示されていない）に接続する。
【０００９】
図８から図１０を参照いただきたい。上述の構成部分を組み合わせる方法は以下のとおりである。本考案のノートパソコンの収納式発熱防止マットは、差し込み１１１によって、結合柱１２３を結合させて、カバー１１と収納部分ベース１２を合体させる。さらに、差し込み１１１によってスプリング１２４がかみ合い、カバー１１を収納部分ベース１２の高度に合うようにかみ合わせる。そして、差し込み固定部分１２５は、放熱ユニット２の差し込み槽２１４に対応するように差し込まれる。このようにして、放熱ユニット２と収納ユニット１が構成される。
【００１０】
図７と図８を参照いただきたい。上述の構成部分の使用状態を示した図である。本考案のノートパソコンの収納式発熱防止マットの使用に際しては、収納ユニット１と放熱ユニット２を分けて使用する。その収納ユニット１はデスクの上に置き、マウスをカバー１１の上に置いてマウスパッドとして使用することができる。また、収納ユニット１は、マウス、電池、コード、アダプタ、USBメモリ等のコンピューターアクセサリを、第一収納空間１２１及び第二収納空間１２６に収納することが可能である。コードは、結合柱１２３外側に巻き付けた後（図示されていない）、仕切り板１２７の外側に巻き付ける。そして、くぼみ槽１２８の中に納まる。こうすることで、コードを収納する目的を果す。
【００１１】
アクセサリが第一収納空間１２１及び第二収納空間１２６より高い場合は、カバー１１の高さを調節することも可能であるため、第一収納空間１２１及び第二収納空間１２６が高さのあるアクセサリも収納することが可能である。
前述の放熱ユニット２をデスクの上に置き、ノートパソコン３を放熱ユニット２の上に置く。また、放熱ユニット２の電源入力端子２２２はノートパソコン３の電源に接続されることでファン２２１を回転させる。そして、放熱口２１３を通して、ノートパソコン３が加熱しすぎないようにするものである。
【００１２】
図１１を参照いただきたい。本考案の第二実施例の使用時の状態を示した図である。第一実施例と第二実施例の違いは、収納ユニット１の収納部分ベース１２の側面に切り込み１２９があって、この切り込み１２９があることで大きいプラグを収納ユニット１の外に置くようにしている点である。
【図面の簡単な説明】
【００１３】
【図１】従来のノートパソコンの発熱防止マットの上にノートパソコンを置いて使用した状態を示した図である。
【図２】本考案の第一実施例の立体外観図である。
【図３】本考案の第一実施例を別の角度から見た立体外観図である。
【図４】本考案の第一実施例の収納ユニット及び放熱ユニットの立体外観図である。
【図５】本考案の第一実施例の放熱ユニットの立体分解図である。
【図６】本考案の第一実施例の部分断面図である。
【図７】図６の丸で囲んだA部分の立体拡大図である。
【図８】本考案の第一実施例の断面図である。
【図９】本考案の第一実施例の収納ユニットがノートパソコンの周辺設備を収納した状態を示した図である。
【図１０】本考案の第一実施例の放熱ユニットにノートパソコンを置いて使用した状態を示した図である。
【図１１】本考案の第二実施例の使用状態を示した図である。
【符号の説明】
【００１４】
１            収納ユニット
１１          カバー
１１１        差し込み
１２          収納部分ベース
１２１        第一収納空間
１２２        底板
１２３        結合柱
１２４        スプリング
１２５        差し込み固定部分
１２６        第二収納空間
１２７        仕切り板
１２８        くぼみ槽
１２９        切り込み
２            放熱ユニット
２１          ケース
２１１        上部ケース
２１２        下部ケース
２１３        放熱口
２１４        差し込み槽
２１５        収納室
２２          ファンユニット
２２１        ファン
２２２        電源入力端子
３            ノートパソコン
【図１】
0003127702.tif 000003
【図２】
0003127702.tif 000004
【図３】
0003127702.tif 000005
【図４】
0003127702.tif 000006
【図５】
0003127702.tif 000007
【図６】
0003127702.tif 000008
【図７】
0003127702.tif 000009
【図８】
0003127702.tif 000010
【図９】
0003127702.tif 000011
【図１０】
0003127702.tif 000012
【図１１】
0003127702.tif 000013
【手続補正書】
【提出日】平成18年10月11日(2006.10.11)
【手続補正１】
【補正対象書類名】実用新案登録請求の範囲
【補正対象項目名】請求項１
【補正方法】変更
【補正の内容】
【請求項１】
収納ユニットと放熱ユニットからなるノートパソコンの収納式発熱防止マットであって、
上記収納ユニットにカバー及び収納部分ベースがあり、該カバーは収納部分ベースと結合し、該収納部分ベースの中間には、第一収納空間があって、この第一収納空間にノートパソコンのアクセサリを収納できるようになっていて、
上記放熱ユニットは上記収納ユニットに対応して差し込むようにして結合すると共に、ケース及びファンユニットからなり、該ケースには上部ケース、下部ケース、数個の放熱口、収納室があって、上記上部ケースの表面には数個の放熱口があり、該上部ケースが上記下部ケースと組み合わさり、さらに、これら上部ケースと下部ケースが、共同で収納室を構成し、該収納室にはファンユニットが収納されていて、該ファンユニットには少なくとも１個のファン及び電源入力端子があって、該ファンが電源入力端子に接続する、ことを特徴とするノートパソコンの収納式発熱防止マット。